(57)【要約】【課題】引張りに対する耐久性に優れるロボット用人工皮膚を提供する。また、顔の表情が変化する顔ロボットに用いられた場合に、人間のように自然な表情を作り出すことができるロボット用人工皮膚を提供する。【解決手段】人工皮膚１０は、ほぼ全面に補強布２２が埋設されたゴム基材２０から構成されている。補強布２２の表面側には、小面積の補強布２４が止め布として補強布２２に重ねて埋設されている。糸状部材２６は、リング部材１６を補強布２２及び補強布２４に留め付けるように、補強布２２、補強布２４、及びリング部材１６の孔を複数回貫通し、リング部材１６に複数回（図３では３回）巻回されている。また、糸状部材２６は、ゴム基材２０の外表面に突出しないように巻回されている。このようにリング部材１６を補強布２２及び補強布２４に留め付けることで、リング部材１６が人工皮膚１０のゴム基材２０の裏面にしっかりと取付けられている。【選択図】図３
2006141564.tif 000002
【特許請求の範囲】
【請求項１】
人工皮膚材料の裏面側に補強布を埋設した基材と、
複数のリング部材と、
前記基材の裏面から前記基材の表面に突出しないように、前記補強布及び前記リング部材の孔を複数回貫通させ複数回巻回させることにより、前記リング部材の各々を前記基材の裏面に取り付ける糸状部材と、
前記リング部材の孔部分に露出している前記糸状部材の前記リング部材への巻回部分を被覆して、前記基材の裏面に接着された補強部材と、
を含むロボット用人工皮膚。
【請求項２】
前記リング部材の各々を、前記リング部材のリングを含む面が前記リング部材の引張り方向と直交するように取り付けた請求項１記載のロボット用人工皮膚。
【請求項３】
前記補強部材を、前記リング部材の引張り方向に沿って延在するように配置した請求項１または２記載のロボット用人工皮膚。
【請求項４】
シリコーンゴム、シリコーンオイル、及び硬化剤を含有するシリコーンゴム組成物を成型硬化させて前記人工皮膚材料を得た請求項１乃至３のいずれか１項記載のロボット用人工皮膚。
【請求項５】
前記シリコーンゴム組成物は、シリコーンゴム１００重量部に対して、シリコーンオイルを１〜５０重量部、及び硬化剤を５〜３０重量部含有させた請求項４記載のロボット用人工皮膚。
【請求項６】
前記シリコーンゴム組成物は、シリコーンゴム１００重量部に対して、シリコーンオイルを１５〜２０重量部、及び硬化剤を１０〜２０重量部含有させた請求項５記載のロボット用人工皮膚。
【請求項７】
前記補強布は、伸縮性がある繊維で構成されている請求項１乃至６のいずれか１項に記載のロボット用人工皮膚。
【請求項８】
前記補強布は、１５デニール〜５０デニールの繊維で織られたナイロン布である請求項１乃至７のいずれか１項に記載のロボット用人工皮膚。
【発明の詳細な説明】
【技術分野】
【０００１】
本発明は、ロボット用人工皮膚に係り、特に、顔の表情が変化する顔ロボットの表面を覆うロボット用人工皮膚に関する。
【背景技術】
【０００２】
人間と同様に顔の表情が変化する顔ロボットの開発が進められている。顔ロボットの表面はシリコーンゴム製の人工皮膚で覆われている。この人工皮膚の裏面には複数の制御点が設定され、複数の制御点の各々に凹部が設けられている。この凹部に嵌合する凸部を備えた機構部を設置して制御点の人工皮膚を動かし、顔ロボットの表情を変化させている（特許文献１）。
【特許文献１】特開平６−２６１９８２号公報
【発明の開示】
【発明が解決しようとする課題】
【０００３】
しかしながら、従来の顔ロボットでは、顔ロボットの表情を表出するための構造が複雑になり造作が大変である、機構部を設置するのにスペース、特に厚みが必要になり、制御点を増やすのが困難である、という問題があった。
【０００４】
一方、制御点に取り付けたコンパクトなリング部材により人工皮膚を裏側から引張って動かすことができれば、これらリング部材の取付けに要するスペースは非常に少なく、そのため制御点を増やすことができ、機構部からの取り外しも容易である。
【０００５】
しかしながら、リング部材により人工皮膚を引張る場合には、シリコーンゴムが断裂してリング部材が外れてしまう、という問題があった。また、リング部材を取り付けた部位が局所的に引張られ、人間のように自然な表情を作り出すことが困難である、という問題があった。
【０００６】
本発明は、上記問題を解決すべく成されたものであり、本発明の目的は、引張りに対する耐久性に優れるロボット用人工皮膚を提供することにある。
【０００７】
また、本発明の他の目的は、顔の表情が変化する顔ロボットに用いられた場合に、人間のように自然な表情を作り出すことができるロボット用人工皮膚を提供することにある。
【課題を解決するための手段】
【０００８】
上記目的を達成するために請求項１に記載のロボット用人工皮膚は、人工皮膚材料の裏面側に補強布を含有させた基材と、複数のリング部材と、前記基材の裏面から前記基材の表面に突出しないように、前記補強布及び前記リング部材の孔を複数回貫通させ複数回巻回させることにより、前記リング部材の各々を前記基材の裏面に取り付ける糸状部材と、前記リング部材の孔部分に露出している前記糸状部材の前記リング部材への巻回部分を被覆して、前記基材の裏面に接着された補強部材と、を含んで構成されたことを特徴とする。
【０００９】
本発明のロボット用人工皮膚では、複数のリング部材の各々は、糸状部材を補強布及びリング部材の孔に複数回貫通させると共に、糸状部材をリング部材に複数回巻回させることにより、基材に含有された補強布に取り付けられているので、リング部材が基材から外れ難くなる。また、糸状部材の巻回部分は補強部材により被覆されており、この補強部材が基材の裏面に接着されることで、リング部材がより一層基材から外れ難くなると共に、巻回部分でのリング部材又は糸状部材の断裂が防止される。即ち、ロボット用人工皮膚の引張りに対する耐久性が著しく向上する。
【００１０】
また、複数のリング部材の各々が補強布に取り付けられているので、引張り力が補強布を介して点ではなく面で作用する。これにより、顔の表情が変化する顔ロボットに用いられた場合に、人間のように自然な表情を作り出すことができる
上記のロボット用人工皮膚においては、リング部材が基材から外れ難くするために、リング部材の各々を、リング部材のリングを含む面がリング部材の引張り方向と直交するように取り付けることが好ましい。また、補強部材を、リング部材の引張り方向に沿って延在するように配置することがより好ましい。
【００１１】
上記のロボット用人工皮膚においては、シリコーンゴム、シリコーンオイル、及び硬化剤を含有するシリコーンゴム組成物を成型硬化させて得られた人工皮膚材料を用いることができる。シリコーンオイルを添加することで、人工皮膚材料の硬度を低下させることができ、人工皮膚材料に人間の皮膚に近似した柔軟性を付与することができる。また、シリコーンゴム組成物にシリコーンオイルと共に硬化剤を添加し、該組成物を成型硬化させることで、オイルブリードを低減することができる。
【００１２】
上記のシリコーンゴム組成物において、シリコーンオイル及び硬化剤の配合量を適宜変えることで、人工皮膚材料の柔軟性と伸縮性とを調整することができる。シリコーンゴム１００重量部に対して、シリコーンオイルを１〜５０重量部、及び硬化剤を５〜３０重量部含有させたシリコーンゴム組成物を用いること好ましい。人工皮膚の感触を人間の皮膚の感触により近付けるために、シリコーンゴム１００重量部に対して、シリコーンオイルを２０重量部、及び硬化剤を２０重量部含有させることが特に好ましい。
【００１３】
また、補強布としては、伸縮性がある繊維で構成された布を用いることが好ましく、このような補強布としては、例えば、１５デニール〜５０デニールの繊維で織られたナイロン布を用いることができる。
【発明の効果】
【００１４】
以上説明したように本発明のロボット用人工皮膚は、引張りに対する耐久性に優れる、という効果を奏する。また、顔の表情が変化する顔ロボットに用いられた場合に、人間のように自然な表情を作り出すことができる、という効果を奏する。
【発明を実施するための最良の形態】
【００１５】
以下、図面を参照して本発明の実施の形態の一例を詳細に説明する。
（人工皮膚の構造）
図１は、顔ロボットの顔面を被覆する人工皮膚の概略図である。図１に示すように、顔ロボットの顔面を覆うゴム製の人工皮膚１０の、顔ロボットの目に対応する部分には眼球を部分的に露出するための開口１２が設けられ、顔ロボットの口に対応する部分には開口１４が設けられている。
【００１６】
図２は、目の部分を含む領域の人工皮膚１０を裏側から見た部分図である。目に対応した開口１２の上部には、眉に沿って配列された４箇所の制御点の各々に、弾性体で構成された無端状のリング部材１６1〜１６4が取付けられている。リング部材１６1〜１６4の各々を引張ることで、人工皮膚１０が裏側から引張られる。また、リング部材１６1〜１６4の取付け部分の各々は、後述する布製の補強部材１８1〜１８4で補強されている。
【００１７】
目頭側のリング部材１６1と目尻側のリング部材１６4とは、人工皮膚１０を矢印で示した斜め下方に引張ることができるように、リングを含む面が引張り方向と直交するように取付けられている。また、中央のリング部材１６2とリング部材１６3とは、人工皮膚１０を矢印で示した斜め上方に引張ることができるように、リングを含む面が引張り方向と直交するように取付けられている。
【００１８】
これらリング部材１６1〜１６4の各々を引張って種々の表情を表出することができる。例えば、眉の外側を吊り上げる動作は、怒りの表情を表出するための単位動作であり、リング部材１６4を引張ることで、怒りの表情を表出することができる。
【００１９】
なお、以下では、リング部材１６1〜１６4を区別する必要がない場合には、単にリング部材１６と記載し、補強部材１８1〜１８4を区別する必要がない場合には、単に補強部材１８と記載する。
【００２０】
図３（Ａ）及び（Ｂ）は、リング部材１６の取付け構造を示す概略図である。
【００２１】
人工皮膚１０は、ほぼ全面に補強布２２が埋設されたゴム基材２０から構成されている。補強布２２の表面側には、小面積の補強布２４が止め布として補強布２２に重ねて埋設されている。糸状部材２６は、リング部材１６を補強布２２及び補強布２４に留め付けるように、補強布２２、補強布２４、及びリング部材１６の孔を複数回貫通し、リング部材１６に複数回（図３では３回）巻回されている。また、糸状部材２６は、ゴム基材２０の外表面に突出しないように巻回されている。このようにリング部材１６を補強布２２及び補強布２４に留め付けることで、リング部材１６が人工皮膚１０のゴム基材２０の裏面にしっかりと取付けられている。
【００２２】
図３（Ａ）に示す状態では、糸状部材２６のリング部材１６への巻回部分は、リング部材１６の孔部分に露出している。糸状部材２６の上記巻回部分は、図３（Ｂ）に示すように、リング部材１６の孔部を貫通する布製の補強部材１８により被覆されている。また、補強部材１８は、リング部材１６の引張り方向に沿って延在するように配置され、ゴム基材２０の裏面に接着されている。このように、補強部材１８をリング部材１６の孔部を貫通させて接着することで、リング部材１６がより一層ゴム基材２０から外れ難くなると共に、巻回部分においてリング部材１６及びゴム基材２０が断裂するのを防止することができる。
【００２３】
リング部材１６は、引っ掛けて引張りやすいリング状の部材であればよい。リング部材１６としては、例えば、ニトリルゴム製の市販のシール用オーリング、金属製のリングを用いることができる。
【００２４】
補強部材１８には、柔らかい布製部材を用いることができる。布製部材としては、ガーゼ等の目の粗い布が好ましい。
【００２５】
ゴム基材２０には、シリコーンゴム、天然ゴム、イソプレンゴム、スチレンブタジエンゴム、ブタジエンゴム、クロロプレンゴム、エチレンプロピレンゴム、ニトリルゴム等のゴム材料を用いることができる。これらゴム材料の中でも、透明性のある外観と柔軟性とを備える点で、シリコーンゴム材料が好ましい。
【００２６】
シリコーンゴム材料の中でも、シリコーンゴムにシリコーンオイル及び硬化剤を含有させたシリコーンゴム組成物を、成型硬化させて得られたシリコーンゴム材料が特に好ましい。このシリコーンゴム材料では、シリコーンオイルを添加することで、ゴム材料の硬度を低下させることができ、シリコーンゴム材料に人間の皮膚に近似した柔軟性を付与することができる。また、シリコーンオイルと共に硬化剤を添加し、シリコーンゴム組成物を成型硬化させることで、オイルブリードを低減することができる。
【００２７】
組成物の基材となるシリコーンゴムとしては、熱硬化型シリコーンゴム（ＨＴＶゴム）、室温硬化型シリコーンゴム（ＲＴＶゴム）のいずれも使用できるが、室温硬化型シリコーンゴムがより好ましい。例えば、信越化学工業社製のＲＴＶゴム「ＫＥ１３００Ｔ」、「ＫＥ１３１０ＳＴ」、「ＫＥ１３１１Ｔ」、ダウコーニングアジア社製の「シラスコンRＲＴＶ７０００」、「シラスコンRＲＴＶ４１６８」、旭化成ワッカーシリコーン社製のＲＴＶゴム「エラストジルRＭ４６００」、「エラストジルRＭ４６４０」等を用いることができる。
【００２８】
シリコーンオイルとしては、ジメチルシリコーンオイル、メチルフェニルシリコーンオイル、メチルハイドロジェンシリコーンオイル等のストレートシリコーンオイルを使用することができる。これらの中でも、ジメチルシリコーンオイルが好ましい。例えば、信越化学工業社製のＲＴＶシンナー、ダウコーニングアジア社製のＲＴＶシンナー、旭化成ワッカーシリコーン社製のジメチルシリコーンオイル「ＡＫ５００」、「ＡＫ１００」「ＡＫ３５」等を用いることができる。
【００２９】
硬化剤としては、有機過酸化物や、付加反応硬化系の架橋剤と白金系触媒との組み合わせが挙げられる。例えば、信越化学工業社製の「ＣＡＴ−１３１０」、「ＣＬＡ−４」、ダウコーニング社製の「キャタリストRＲＣ」、「キャタリストRＨＣ」、旭化成ワッカーシリコーン社製の「エラストジルRＭ４６００−Ｂ」、「エラストジルRＭ４６４０−Ｂ」等を用いることができる。
【００３０】
上記のシリコーンゴム組成物においては、シリコーンオイル及び硬化剤の配合量を適宜変更することで、シリコーンゴム材料の柔軟性と伸縮性とを調整することができる。シリコーンオイルの配合量は、シリコーンゴム１００重量部に対して、１〜５０重量部とすることができる。シリコーンオイルのシリコーンゴム１００重量部に対する配合量が５０重量部を超えるとオイルブリードが発生し、１重量部より少ないと柔軟性が不十分になる。また、硬化剤の配合量は、シリコーンゴム１００重量部に対して、５〜３０重量部とすることができる。硬化剤のシリコーンゴム１００重量部に対する配合量が３０重量部を超えるとゴム基材の伸縮性が低下し、５重量部より少ないとゴム基材の強度が不十分になる。
【００３１】
人工皮膚の感触を人間の皮膚の感触により近付けるために、シリコーンゴム１００重量部に対して、シリコーンオイルを１５〜２０重量部、及び硬化剤を１０〜２０重量部含有させることがより好ましい。
【００３２】
例えば、シリコーンゴムとして上述した旭化成ワッカーシリコーン社製の「エラストジルRＭ４６００」を用い、シリコーンゴム１００重量部に対して、シリコーンオイルを配合せず、硬化剤を１０重量部配合した場合には、硬化成型して得られたシリコーンゴム材料は「消しゴム位の硬さ」、「軟骨の硬さ」であるが、シリコーンゴム１００重量部に対して、シリコーンオイルを１５重量部、硬化剤を１０重量部配合した場合には、「指先・耳介の硬さ」となる。
【００３３】
また、シリコーンゴム１００重量部に対して、シリコーンオイルを１５重量部、硬化剤を１５重量部配合した場合には、「鼻の硬さ」となり、シリコーンゴム１００重量部に対して、シリコーンオイルを１８重量部、硬化剤を１８重量部配合した場合には、「頬の硬さ」となる。さらに、シリコーンゴム１００重量部に対して、シリコーンオイルを１５重量部、硬化剤を１０重量部配合した場合には、「脂肪・耳たぶの硬さ」となる。
【００３４】
補強布２２、補強布２４は、伸縮性の高い繊維で構成されていることが好ましい。これら補強布２２、補強布２４によりゴム基材２０を補強することで、リング部材１６が引張られた場合に、より大きな面積に引張り力が作用し、ゴム基材２０が局所的に変形するのを防止することができる。また、上述した通り、これら補強布２２及び補強布２４にリング部材１６を留め付けることで、リング部材１６がゴム基材２０から剥離するのを防止することができる。
【００３５】
補強布２２、補強布２４としては、例えば、夏季用のストッキングに使用されている薄手のナイロン布などを用いることができる。ナイロン布は、１５デニール〜５０デニールの繊維で織られたものが好ましい。また、糸状部材２６としては、絹糸、木綿糸、ポリエステル糸、テグス等を用いることができる。これらの中でも、強度が高いポリエステル糸が好ましい。
【００３６】
（人工皮膚の作製方法）
次に、図４を参照して、上記のシリコーンゴムにシリコーンオイル及び硬化剤を含有させたシリコーンゴム組成物を用いた人工皮膚１０の作製方法を説明する。
【００３７】
まず、顔ロボットの顔面の凹凸を形成するための一対の成形型を用意する。一対の成形型は、人間の顔を模した雄型３０と、この雄型３０と嵌合する雌型３２とで構成されている。このような成形型は、エポキシ樹脂等の硬化性樹脂で作製することができる。
【００３８】
次に、上記の雄型３０の表面にシリコーンゴム組成物を塗布する。シリコーンゴム組成物としては、シリコーンゴム１００重量部に対して、シリコーンオイルを２０重量部、及び硬化剤を２０重量部含有させた組成物を用いる。塗布された組成物上に、矩形に裁断された複数枚の補強布２２をその一部分が重なるようにして全面に貼り付ける。また、リング部材１６を取付ける部分には、円形に裁断された補強布２４を補強布２２に重ねて貼り付ける。
【００３９】
次に、雄型３０と雌型３２とを所定間隔だけ離間して配置し、雄型３０と雌型３２との間にシリコーンゴム組成物を注入する。そして、シリコーンゴム組成物をプレスして、所望の厚さのゴム基材２０に硬化成型する。硬化条件は、硬化剤の種類に応じて適宜選択することができる。例えば、硬化剤として、旭化成ワッカーシリコーン社製の「エラストジルRＭ４６００−Ｂ」等の付加型硬化剤を用いた場合には、成型温度は６０℃、加圧時間は３〜４時間とすることができる。
【００４０】
次に、糸状部材２６を、補強布２２、補強布２４、及びリング部材１６の孔に複数回貫通させ、リング部材１６に複数回巻回させて、リング部材１６を成型したゴム基材２０の裏面に縫い付ける。
【００４１】
最後に、露出した糸状部材２６の巻回部分を被覆するように、リング部材１６の孔に布製の補強部材１８を通し、リング部材１６の両側で補強部材１８をゴム基材２０の裏面に接着する。なお、目や口に対応した開口１２、開口１４は、ゴム基材２０の成型後に適宜形成される。
【００４２】
以上説明したとおり、本実施の形態に係るロボット用人工皮膚では、複数のリング部材の各々が、糸状部材を２枚の補強布及びリング部材の孔に複数回貫通させると共に、糸状部材をリング部材に複数回巻回させることによって、ゴム基材に埋設された補強布に取り付けられているので、リング部材のゴム基材からの剥離が防止される。このため、本実施の形態に係るロボット用人工皮膚は、引張りに対し優れた耐久性を発揮する。
【００４３】
また、複数のリング部材の各々が、ゴム基材に埋設された補強布に取り付けられているので、リング部材が引張られた場合に、補強布を介してより大きな面積に引張り力が作用する。このため、顔の表情が変化する顔ロボットに用いられた場合に、人間のように自然な表情を作り出すことができる。
【００４４】
また、糸状部材の巻回部分は補強部材により被覆されており、この補強部材が基材の裏面に接着されることで、リング部材がゴム基材からさらに剥離し難くなると共に、巻回部分でのリング部材又は糸状部材の断裂が防止され、引張りに対する耐久性が著しく向上する。
【図面の簡単な説明】
【００４５】
【図１】顔ロボットの顔面を被覆する人工皮膚の概略図である。
【図２】顔ロボットの人工皮膚を裏側から見た図である。
【図３】（Ａ）及び（Ｂ）は、リング部材の取付け構造を示す概略図である。
【図４】人工皮膚の作製方法を説明するための説明図である。
【符号の説明】
【００４６】
１０   人工皮膚
１２   開口
１４   開口
１６   リング部材
１８   補強部材
２０   ゴム基材
２２   補強布
２４   補強布
２６   糸状部材
３０   雄型
３２   雌型
【図１】
2006141564.tif 000003
【図２】
2006141564.tif 000004
【図３】
2006141564.tif 000005
【図４】
2006141564.tif 000006